(57)【要約】【課題】ロゴマークデータの受信処理と、それ以外の受信可能局のサーチ等の処理とを並行して行う。【解決手段】選局制御部１１は、放送局から、この放送局のロゴマークデータ５０が、複数の部分データ５１，５２，５３，５４，５５に分割された状態で、予め定められた送信周期ごとに繰り返し送信される場合、予め定められた間欠的な受信タイミングごとにこの放送局を選局する。受信部２は、選局制御部１１により選局されたこの放送局の放送波を受信する。分離部４は、受信部２により受信されたこの放送波に含まれる部分データ５１，５２，５３，５４，５５を分離する。ロゴマーク生成部１２は、複数の部分データ５１，５２，５３，５４，５５すべてを用いてロゴマークデータ５０を生成する。【選択図】図１
2020182037.tif 000002
【特許請求の範囲】
【請求項１】
放送局から、前記放送局のロゴマークデータが、複数の部分データに分割された状態で、予め定められた送信周期ごとに繰り返し送信される場合、予め定められた間欠的な受信タイミングごとに前記放送局を選局する選局制御部と、
前記選局制御部により選局された前記放送局の放送波を受信する受信部と、
前記受信部により受信された前記放送波に含まれる前記部分データを分離する分離部と、
前記分離部により分離された前記部分データを記憶する記憶部と、
前記放送局のロゴマークデータが分割された前記複数の部分データすべてが前記記憶部に記憶された場合、前記複数の部分データすべてを用いて前記ロゴマークデータを生成するロゴマーク生成部とを備える放送受信装置。
【請求項２】
前記選局制御部は、前記記憶部に記憶済みの部分データと同じ部分データが前記受信部により受信されたタイミングに基づいて前記送信周期を検出し、検出した前記送信周期に応じて前記受信タイミングを変更することを特徴とする請求項１記載の放送受信装置。
【請求項３】
前記選局制御部は、ロゴマークデータの受信対象となる放送局が複数ある場合、１回の前記受信タイミングにおいて受信対象である複数の放送局を順番に選局すると共に、１つの放送局あたりの受信時間を受信対象の放送局数が多いほど短くすることを特徴とする請求項１記載の放送受信装置。
【請求項４】
前記選局制御部は、ロゴマークデータの受信対象となる放送局が複数ある場合、ユーザの視聴履歴に基づいて放送局の優先順位を決定し、優先順位の高い放送局を優先して選局することを特徴とする請求項１記載の放送受信装置。
【請求項５】
前記受信部は、ユーザにより選択された視聴放送局の放送波を受信するメインチューナと、前記視聴放送局以外の放送局の放送波を受信するサブチューナとを有し、
前記選局制御部は、前記メインチューナに対して前記視聴放送局を選局している場合、前記サブチューナに対して前記受信タイミングごとに、前記視聴放送局以外のロゴマークデータの受信対象となる放送局を選局し、前記メインチューナに対して前記視聴放送局を選局していない場合、前記メインチューナに対して前記ロゴマークデータの受信対象となる放送局を選局することを特徴とする請求項１記載の放送受信装置。
【請求項６】
前記受信部は、ユーザにより選択された視聴放送局の放送波を受信するメインチューナと、前記視聴放送局以外の放送局の放送波を受信するサブチューナとを有し、
前記選局制御部は、前記サブチューナに対して前記受信タイミングごとに、前記視聴放送局以外のロゴマークデータの受信対象となる放送局を選局する際、前記メインチューナの受信状態に応じて１回の前記受信タイミングあたりの前記受信時間を変更することを特徴とする請求項１記載の放送受信装置。
【請求項７】
前記放送局のロゴマークデータを蓄積するサーバと通信する通信部を備え、
前記通信部は、前記放送局のロゴマークデータが前記記憶部に存在しない場合、前記放送局のロゴマークデータを前記サーバから取得することを特徴とする請求項１記載の放送受信装置。
【請求項８】
選局制御部が、放送局から、前記放送局のロゴマークデータが、複数の部分データに分割された状態で、予め定められた送信周期ごとに繰り返し送信される場合、予め定められた間欠的な受信タイミングごとに前記放送局を選局し、
受信部が、前記選局制御部により選局された前記放送局の放送波を受信し、
分離部が、前記受信部により受信された前記放送波に含まれる前記部分データを分離し、
記憶部が、前記分離部により分離された前記部分データを記憶し、
ロゴマーク生成部が、前記放送局のロゴマークデータが分割された前記複数の部分データすべてが前記記憶部に記憶された場合、前記複数の部分データすべてを用いて前記ロゴマークデータを生成する放送受信方法。
【請求項９】
放送局から、前記放送局のロゴマークデータが、複数の部分データに分割された状態で、予め定められた送信周期ごとに繰り返し送信される場合、予め定められた間欠的な受信タイミングごとに前記放送局を選局する選局制御手順と、
前記選局制御手順により選局された前記放送局の放送波を受信する受信手順と、
前記受信手順により受信された前記放送波に含まれる前記部分データを分離する分離手順と、
前記分離手順により分離された前記部分データを記憶する記憶手順と、
前記放送局のロゴマークデータが分割された前記複数の部分データすべてが前記記憶手順により記憶された場合、前記複数の部分データすべてを用いて前記ロゴマークデータを生成するロゴマーク生成手順とを、コンピュータに実行させる放送受信プログラム。
【発明の詳細な説明】
【技術分野】
【０００１】
この発明は、放送受信装置、放送受信方法、及び放送受信プログラムに関するものである。
【背景技術】
【０００２】
昨今、デジタルテレビ及びデジタルラジオの放送局数の増加により、ユーザが選局時にチャンネル番号から放送局を直感的に識別することが困難になっている。そこで、選局リスト及び番組表に放送局のロゴマークを表示し、ユーザが放送局を視覚的に識別できるようにした放送受信装置が提案されている（例えば、特許文献１参照）。
【先行技術文献】
【特許文献】
【０００３】
【特許文献１】特開２００６−２５０７３号公報
【発明の概要】
【発明が解決しようとする課題】
【０００４】
放送局は、放送局のロゴマークを表す画像データ（以下、「ロゴマークデータ」と称する）を複数の部分データに分割し、分割した複数の部分データを一定周期内（例えば、１０分間）で送信する。そのため、放送受信装置は、この周期の間、ロゴマークデータを受信したい放送局の放送波を受信し続ける必要がある。
【０００５】
上述のような従来の放送受信装置は、複数のチューナのうち、視聴用に使用していないチューナを用いてロゴマークデータを受信する構成であった。そのため、従来の放送受信装置は、ロゴマークデータの受信中、受信可能局のサーチ等、本来複数のチューナで実現していた処理を停止する必要があった。
【０００６】
この発明は、上記のような課題を解決するためになされたもので、ロゴマークデータの受信処理とそれ以外の処理とを並行して行うことを目的とする。
【課題を解決するための手段】
【０００７】
この発明に係る放送受信装置は、放送局から、放送局のロゴマークデータが、複数の部分データに分割された状態で、予め定められた送信周期ごとに繰り返し送信される場合、予め定められた間欠的な受信タイミングごとに放送局を選局する選局制御部と、選局制御部により選局された放送局の放送波を受信する受信部と、記受信部により受信された放送波に含まれる部分データを分離する分離部と、分離部により分離された部分データを記憶する記憶部と、放送局のロゴマークデータが分割された複数の部分データすべてが記憶部に記憶された場合、複数の部分データすべてを用いてロゴマークデータを生成するロゴマーク生成部とを備えるものである。
【発明の効果】
【０００８】
この発明によれば、間欠的な受信タイミングごとにロゴマークデータの受信処理を行うようにしたので、受信タイミングの合間に受信可能局のサーチ等の処理を並行して行うことができる。
【図面の簡単な説明】
【０００９】
【図１】実施の形態１に係る放送受信装置の構成例を示すブロック図である。
【図２】放送局によるロゴマークデータの送信方法の一例を示す図である。
【図３】実施の形態１に係る放送受信装置によるロゴマークデータの受信処理例を示す図である。
【図４】実施の形態１に係る放送受信装置の動作例を示すフローチャートである。
【図５】実施の形態２に係る放送受信装置によるロゴマークデータの受信処理例を示す図である。
【図６】実施の形態３に係る放送受信装置によるロゴマークデータの受信処理例を示す図である。
【図７】実施の形態４に係る放送受信装置によるロゴマークデータの受信処理例を示す図である。
【図８】実施の形態５に係る放送受信装置によるロゴマークデータの受信処理例を示す図である。
【図９】実施の形態６に係る放送受信装置によるロゴマークデータの受信処理例を示す図である。
【図１０】実施の形態７に係る放送受信装置の構成例を示すブロック図である。
【図１１】実施の形態７に係る放送受信装置とサーバとを含むロゴマークデータ取得システムの構成例を示す図である。
【図１２】各実施の形態に係る放送受信装置のハードウェア構成例を示す図である。
【発明を実施するための形態】
【００１０】
実施の形態１．
図１は、実施の形態１に係る放送受信装置１の構成例を示すブロック図である。実施の形態１に係る放送受信装置１は、デジタルラジオ放送、又はデジタルテレビ放送の少なくとも一方を受信するものである。この放送受信装置１は、車両等の移動体に設置又は持ち込まれるものであってもよいし、宅内に設置されるものであってもよい。放送受信装置１は、受信部２、復調部３、分離部４、デコード部５、表示音声制御部６、記憶部９、及び制御部１０を備える。また、放送受信装置１は、表示部７及び音声出力部８に接続されている。表示部７及び音声出力部８は、車両等の移動体又は宅内に設置されたものであってもよいし、放送受信装置１に組み込まれたものであってもよい。
【００１１】
受信部２は、メインチューナ２ａとサブチューナ２ｂとを備える。また、受信部２には、複数本（例えば、４本）のアンテナが接続されている。メインチューナ２ａは、１本以上のアンテナを用いて、ユーザが視聴を所望する放送局（以下、「視聴放送局」と称する）の放送波を受信する。サブチューナ２ｂは、１本以上のアンテナを用いて、視聴放送局以外の放送局の放送波を受信する。このサブチューナ２ｂは、主に、放送局のロゴマークデータの受信と、受信可能局のサーチ等とに用いられる。メインチューナ２ａ及びサブチューナ２ｂが受信した放送波は、復調部３へ出力される。
【００１２】
なお、メインチューナ２ａとサブチューナ２ｂとが用いるアンテナの本数は固定であってもよいし、可変であってもよい。例えば、メインチューナ２ａの受信状態が悪い場合、メインチューナ２ａはアンテナを３本用い、サブチューナ２ｂはアンテナを１本用いる。反対に、メインチューナ２ａの受信状態が良好な場合、メインチューナ２ａはアンテナを２本用い、サブチューナ２ｂもアンテナを２本用いる。
【００１３】
復調部３は、受信部２のメインチューナ２ａ及びサブチューナ２ｂにより受信された放送波を復調し、復調データを分離部４へ出力する。分離部４は、復調部３により復調された復調データに含まれる映像データと、音声データと、放送局のロゴマークデータの一部である部分データとを分離する。分離部４は、映像データと音声データとをデコード部５へ出力し、ロゴマークデータの部分データを記憶部９へ記憶する。デコード部５は、分離部４により分離された映像データ及び音声データをデコード処理し、デコード処理後の映像データ及び音声データを表示音声制御部６へ出力する。表示音声制御部６は、デコード部５によりデコード処理された映像データを表示部７に表示させる。また、表示音声制御部６は、デコード部５によりデコード処理された音声データを音声出力部８から音声出力させる。表示部７は、ディスプレイ等により構成される。音声出力部８は、スピーカ等により構成される。
【００１４】
記憶部９は、不揮発性の半導体メモリ等により構成される。記憶部９は、分離部４により分離されたロゴマークデータの部分データを記憶する。また、記憶部９は、後述するロゴマーク生成部１２により生成されたロゴマークデータを記憶する。
【００１５】
制御部１０は、放送受信装置１の各部の動作タイミングを制御する。また、制御部１０は、選局制御部１１及びロゴマーク生成部１２を備える。選局制御部１１は、メインチューナ２ａ及びサブチューナ２ｂの選局を制御する。
【００１６】
ユーザが図示しない入力装置に対して視聴放送局を選択する操作を行うと、入力装置から選局制御部１１に対して視聴放送局が指示される。選局制御部１１は、入力装置から指示された視聴放送局を選局するよう、メインチューナ２ａを制御する。
【００１７】
また、選局制御部１１は、予め定められた間欠的な受信タイミングごとに、ロゴマークデータの受信対象である放送局を選局するよう、サブチューナ２ｂを制御する。さらに、選局制御部１１は、間欠的な受信タイミングの合間に、放送局を切り替えながら受信可能局をサーチするよう、サブチューナ２ｂを制御する。
【００１８】
ロゴマーク生成部１２は、放送局のロゴマークデータが分割された複数の部分データすべてが記憶部９に存在する場合、これら複数の部分データを用いてロゴマークデータを生成し、生成したロゴマークデータを記憶部９に記憶させる。記憶部９に記憶されたロゴマークデータは、表示音声制御部６により読み出され、選局リスト及び番組表等に表示されることになる。
【００１９】
図２は、放送局によるロゴマークデータの送信方法の一例を示す図である。例えば、「ＡＢＣＤＥ」という放送局名の放送局は、「ＡＢＣＤＥ」というロゴマークデータ５０を５分割する。そして、放送局は、分割した５個の部分データ５１，５２，５３，５４，５５を順番に、１０分の送信周期で送信する。例えば、放送局は、部分データ５１を、送信周期開始１分後から２分後までの間の任意のタイミングで送信する。放送局は、部分データ５２を、送信周期開始３分後から４分後までの間の任意のタイミングで送信する。放送局は、部分データ５３を、送信周期開始５分後から６分後までの間の任意のタイミングで送信する。放送局は、部分データ５４を、送信周期開始７分後から８分後までの間の任意のタイミングで送信する。放送局は、部分データ５５を、送信周期開始９分後から１０分後までの間の任意のタイミングで送信する。放送局は、５個の部分データ５１，５２，５３，５４，５５を、送信周期ごとに繰り返し送信する。
【００２０】
一般に、メインチューナ２ａとサブチューナ２ｂとを備える放送受信装置１は、視聴用に使用していないサブチューナ２ｂを用いて、視聴放送局以外の放送局のロゴマークデータ５０を受信することが可能である。その場合、サブチューナ２ｂは、ロゴマークデータ５０の送信周期（例えば、１０分）の間、比較的長時間にわたり、受信可能局のサーチ等、本来サブチューナ２ｂで実現したい機能を停止する必要があった。
なお、ユーザが視聴中の視聴放送局のロゴマークデータ５０は、メインチューナ２ａにより受信される。
【００２１】
そこで、実施の形態１に係る放送受信装置１は、以下に説明するように、ロゴマークデータ５０の受信処理を時分割し、ロゴマークデータ送信の周期性を利用して受信タイミングを制御することにより、ロゴマークデータ５０の部分データ５１，５２，５３，５４，５５を受信する。そして、放送受信装置１は、受信した部分データ５１，５２，５３，５４，５５を内部で保持して組み合わせることにより、ロゴマークデータ５０を復元する。これにより、放送受信装置１は、長時間、受信可能局のサーチ等の処理を停止することなく、視聴放送局以外の放送局のロゴマークデータ５０を受信することができる。
【００２２】
図３は、実施の形態１に係る放送受信装置１によるロゴマークデータ５０の受信処理例を示す図である。この例では、放送局は、図２の例とは異なり、１０分の送信周期における１５秒から３０秒の間で部分データ５１を送信し、１分３０秒から１分４５秒の間で部分データ５２を送信し、２分４５秒から３分の間で部分データ５３を送信し、８分から８分１５秒の間で部分データ５４を送信し、９分１５秒から９分３０秒の間で部分データ５５を送信する。
【００２３】
選局制御部１１は、ロゴマークデータ５０を構成する部分データ５１，５２，５３，５４，５５の受信処理として、放送波を１分間隔の受信タイミングごとに１５秒の受信時間で受信するように、サブチューナ２ｂの選局を制御する。つまり、選局制御部１１は、サブチューナ２ｂを用いて、１分間隔の受信タイミングごとに、１５秒間、ロゴマークデータ５０の受信対象放送局の放送波を受信し、残りの４５秒間、受信可能局のサーチ等を行う。また、選局制御部１１は、送信周期ごとに、受信タイミングを１５秒後ろにずらす。つまり、選局制御部１１は、１回目の送信周期において、１分ごとに、０秒から１５秒の間受信処理を行い、２回目の送信周期において、１分ごとに、１５秒から３０秒の間受信処理を行い、３回目の送信周期において、１分ごとに、３０秒から４５秒の間受信処理を行い、４回目の送信周期において、１分ごとに、４５秒から６０秒の間受信処理を行う。５回目の送信周期は、１回目の送信周期と同じ受信処理となる。
【００２４】
１回目の送信周期において、部分データ５４の送信タイミングとサブチューナ２ｂの受信タイミングとが一致する。そのため、サブチューナ２ｂは、部分データ５４を含む放送波を受信する。復調部３は、部分データ５４を含む放送波を復調し、分離部４は、部分データ５４を分離して記憶部９に記憶する。
【００２５】
２回目の送信周期において、部分データ５１及び部分データ５５の送信タイミングとサブチューナ２ｂの受信タイミングとが一致する。そのため、サブチューナ２ｂは、部分データ５１及び部分データ５５を含む放送波を受信する。復調部３は、部分データ５１及び部分データ５５を含む放送波を復調し、分離部４は、部分データ５１及び部分データ５５を分離して記憶部９に記憶する。
【００２６】
３回目の送信周期において、部分データ５２の送信タイミングとサブチューナ２ｂの受信タイミングとが一致する。そのため、サブチューナ２ｂは、部分データ５２を含む放送波を受信する。復調部３は、部分データ５２を含む放送波を復調し、分離部４は、部分データ５２を分離して記憶部９に記憶する。
【００２７】
４回目の送信周期において、部分データ５３の送信タイミングとサブチューナ２ｂの受信タイミングとが一致する。そのため、サブチューナ２ｂは、部分データ５３を含む放送波を受信する。復調部３は、部分データ５３を含む放送波を復調し、分離部４は、部分データ５３を分離して記憶部９に記憶する。
【００２８】
４回目の送信周期において、部分データ５１，５２，５３，５４，５５が記憶部９に記憶された状態となる。したがって、ロゴマーク生成部１２は、記憶部９に記憶されている部分データ５１，５２、５３，５４，５５を用いてロゴマークデータ５０を生成する。
【００２９】
図４は、実施の形態１に係る放送受信装置１の動作例を示すフローチャートである。放送受信装置１は、ロゴマークデータ５０の受信対象である放送局ごとに、図４のフローチャートに示される動作を行う。
【００３０】
ステップＳＴ１において、選局制御部１１は、ロゴマークデータ５０の受信対象である放送局について、例えば受信タイミングを１分間隔にする、受信時間を１５秒にする、及び送信周期ごとに受信タイミングを１５秒後ろにずらすといった制御内容を設定する。
なお、選局制御部１１は、送信周期が判明している放送局についてはその送信周期を用いて制御内容を設定すればよく、送信周期が判明していない放送局については最長の送信周期を用いて制御内容を設定すればよい。例えば、日本の地上デジタル放送の場合、最長の送信周期は１０分である。
【００３１】
ステップＳＴ２において、選局制御部１１は、ステップＳＴ１で設定した受信タイミングになった場合（ステップＳＴ２“ＹＥＳ”）、受信対象である放送局を選局するようにサブチューナ２ｂを制御する。一方、選局制御部１１は、ステップＳＴ１で設定した受信タイミングではない場合（ステップＳＴ２“ＮＯ”）、ロゴマークデータ受信以外の、例えば受信可能局のサーチを行う（ステップＳＴ５）。
【００３２】
ステップＳＴ３において、サブチューナ２ｂは、選局制御部１１により選局された放送局を選局する。ステップＳＴ４において、サブチューナ２ｂは、選局した放送局の放送波を受信する。復調部３は、サブチューナ２ｂにより受信された放送波を復調し、分離部４は、復調された放送波にロゴマークデータ５０の部分データが含まれている場合、この部分データを記憶部９に記憶する。
【００３３】
ステップＳＴ６において、選局制御部１１は、記憶部９を参照して、ロゴマークデータ５０の部分データのうち、未受信の部分データがある場合（ステップＳＴ６“ＹＥＳ”）、次の受信タイミングか否かを判定する（ステップＳＴ２）。一方、記憶部９にロゴマークデータ５０の部分データすべてが存在する場合（ステップＳＴ６“ＮＯ”）、ステップＳＴ７において、ロゴマーク生成部１２は、記憶部９に記憶されている部分データを用いてロゴマークデータ５０を生成する。
【００３４】
以上のように、実施の形態１に係る放送受信装置１は、選局制御部１１と、受信部２と、分離部４と、記憶部９と、ロゴマーク生成部１２とを備える。選局制御部１１は、放送局から、この放送局のロゴマークデータ５０が、複数の部分データ５１，５２，５３，５４，５５に分割された状態で、予め定められた送信周期ごとに繰り返し送信される場合、予め定められた間欠的な受信タイミングごとにこの放送局を選局する。受信部２は、選局制御部１１により選局されたこの放送局の放送波を受信する。分離部４は、受信部２により受信されたこの放送波に含まれる部分データ５１，５２，５３，５４，５５を分離する。記憶部９は、分離部４により分離された部分データ５１，５２，５３，５４，５５を記憶する。ロゴマーク生成部１２は、この放送局のロゴマークデータ５０が分割された複数の部分データ５１，５２，５３，５４，５５すべてが記憶部９に記憶された場合、複数の部分データ５１，５２，５３，５４，５５すべてを用いてロゴマークデータ５０を生成する。放送受信装置１は、間欠的な受信タイミングごとにロゴマークデータ５０の受信処理を行うことにより、受信タイミングの合間に受信可能局のサーチ等の処理を並行して行うことができる。
【００３５】
実施の形態２．
実施の形態２に係る放送受信装置１の構成は、実施の形態１の図１に示された構成と図面上は同一であるため、以下では図１を援用する。
【００３６】
実施の形態１の選局制御部１１は、ロゴマークデータ５０の送信周期が判明していない場合、最長の送信周期を用いて選局の制御内容を設定していた。これに対し、実施の形態２の選局制御部１１は、記憶部９に記憶済みの部分データと同じ部分データが受信部２により受信されたタイミングに基づいて、ロゴマークデータ５０の送信周期を検出する。そして、選局制御部１１は、検出した送信周期に応じて制御内容を変更する。
【００３７】
図５は、実施の形態２に係る放送受信装置１によるロゴマークデータ５０の受信処理例を示す図である。選局制御部１１は、「変更前」において、ロゴマークデータ５０の受信対象である放送局に対して送信周期を１０分と仮定して制御内容を設定する。「変更前」の制御内容は、受信タイミングが１分間隔、受信時間が１５秒、及び送信周期１０分ごとに受信タイミングを１５秒後ろにずらすといったものである。そして、選局制御部１１は、「変更前」の制御内容に従い、部分データの受信処理と受信可能局のサーチ等とを実施する。
【００３８】
その後、選局制御部１１は、例えば１分間隔の受信タイミングの都度、サブチューナ２ｂにより受信され記憶部９に記憶された最新の部分データが、既に記憶部９に記憶済みの部分データと同じであるか否かを判定する。図５に示されるように、時間ｔ１（送信周期の５分から５分１５秒までの１５秒間）に受信された最新の部分データと、時間ｔ０（送信周期の０秒から１５秒までの１５秒間）に受信済みの部分データとが同じである場合、選局制御部１１は、時間ｔ０から時間ｔ１までの５分間を送信周期として検出する。選局制御部１１は、５分の送信周期に基づいて、制御内容を変更する。「変更後」の制御内容は、受信タイミングが１分間隔、受信時間が１５秒、及び送信周期５分ごとに受信タイミングを１５秒後ろにずらすといったものである。そして、選局制御部１１は、次の受信タイミングである時間ｔ２以降、「変更後」の制御内容に従い、部分データの受信処理と受信可能局のサーチ等とを実施する。
【００３９】
以上のように、実施の形態２によれば、選局制御部１１は、記憶部９に記憶済みの部分データと同じ部分データが受信部２により受信されたタイミングに基づいて送信周期を検出し、検出した送信周期に応じて受信タイミングを変更する。この構成の場合、放送受信装置１は、最長の送信周期を用いる場合に比べて、より早くロゴマークデータ５０を受信することができる。
【００４０】
実施の形態３．
実施の形態３に係る放送受信装置１の構成は、実施の形態１の図１に示された構成と図面上は同一であるため、以下では図１を援用する。
【００４１】
受信可能局のサーチにより検出された放送局の数、及び記憶部９にロゴマークデータ５０が存在していない放送局の数等により、ロゴマークデータ５０の受信対象となる放送局の数は随時変化する。実施の形態３では、ロゴマークデータ５０の受信対象となる放送局が複数ある場合について説明する。具体的には、実施の形態３の選局制御部１１は、１回の受信タイミングにおいて、受信対象である複数の放送局を順番に選局すると共に、１つの放送局あたりの受信時間を受信対象の放送局数が多いほど短くする。
【００４２】
図６は、実施の形態３に係る放送受信装置１によるロゴマークデータ５０の受信処理例を示す図である。この例では、受信対象となる放送局が、第１放送局、第２放送局、及び第３放送局の３つある。選局制御部１１が１分間隔の受信タイミングに対して、１つの放送局あたり１５秒の受信時間を設定した場合、放送局数が多いと、受信可能局のサーチ等に使用できる時間が圧迫されることになる。そこで、実施の形態３の選局制御部１１は、例えば、１５秒の受信時間を放送局数で除算することにより、放送局数が多いほど１つの放送局あたりの受信時間を短くする。
【００４３】
図６の上側に示されるように、受信時間が放送局数によらず１５秒に固定された場合、１分間隔の受信タイミングに対して、第１放送局、第２放送局、及び第３放送局のロゴマークデータ５０の受信時間の合計が４５秒になり、受信可能局のサーチ等に使用できる時間が１５秒になる。これに対し、図６の下側に示されるように、受信時間が放送局数に応じて変更された場合、１分間隔の受信タイミングに対して、第１放送局のロゴマークデータ５０の受信時間が５秒、第２放送局のロゴマークデータ５０の受信時間が５秒、及び第３放送局のロゴマークデータ５０の受信時間が５秒となる。よって、受信可能局のサーチ等に使用できる時間は、４５秒となる。なお、１つの放送局あたりの受信時間は短くなるため、当該放送局のロゴマークデータ５０の部分データすべてが受信完了するまでの時間は長くなる。
【００４４】
以上のように、実施の形態３によれば、選局制御部１１は、ロゴマークデータ５０の受信対象となる放送局が複数ある場合、１回の受信タイミングにおいて受信対象である複数の放送局を順番に選局すると共に、１つの放送局あたりの受信時間を受信対象の放送局数が多いほど短くする。この構成の場合、放送受信装置１は、ロゴマークデータ５０の受信対象となる放送局数が増えたとしても、受信可能局のサーチ等に使用できる時間を確保することができる。
【００４５】
実施の形態４．
実施の形態４に係る放送受信装置１の構成は、実施の形態１の図１に示された構成と図面上は同一であるため、以下では図１を援用する。
【００４６】
一般に、ユーザが視聴する放送局には偏りがある。そのため、放送受信装置１が、ユーザが頻繁に視聴する放送局のロゴマークデータ５０を早く受信して選局リスト及び番組表に表示することで、ユーザが放送局を視覚的に認識できるようになり、利便性が向上する。そこで、実施の形態４の選局制御部１１は、ユーザの視聴履歴を示すデータを記憶部９に記憶させる。視聴履歴を示すデータは、例えば、放送局ごとの、ユーザが過去に視聴した累積時間である。選局制御部１１は、ロゴマークデータ５０の受信対象となる放送局が複数ある場合、記憶部９に記憶されている視聴履歴を用いて、ロゴマークデータ５０が揃っていない放送局の中で、累積時間が長い放送局の優先順位を高くする。そして、選局制御部１１は、優先順位の高い放送局を優先して選局する。例えば、選局制御部１１は、優先順位の高い放送局ほど、ロゴマークデータ５０の受信時間を長くする。または、選局制御部１１は、優先順位の高い放送局ほど、ロゴマークデータ５０の受信タイミングの数を多くしてもよい。このように、選局制御部１１は、優先順位の高い放送局のロゴマークデータ５０が、優先順位の低い放送局のロゴマークデータ５０よりも早く受信できるように、制御内容を変更する。
【００４７】
図７は、実施の形態４に係る放送受信装置１によるロゴマークデータ５０の受信処理例を示す図である。この例では、受信対象となる放送局が、第１放送局、第２放送局、及び第３放送局の３つある。また、第１放送局の優先順位が最も高く、第２放送局と第３放送局の優先順位は同じである。図７の上側に示されるように、上述の実施の形態３では、優先順位に関係なく、放送局数が多いほど１つの放送局あたりの受信時間が短くなるように変更された。これに対し、図７の下側に示されるように、実施の形態４では、１分間隔の受信タイミングに対して、優先順位の最も高い第１放送局のロゴマークデータ５０の受信時間が１０秒、優先順位の低い第２放送局と第３放送局のロゴマークデータ５０の受信時間が５秒に変更される。さらに、１受信タイミングおきに、優先順位の低い第２放送局と第３放送局のロゴマークデータ５０が受信される。
【００４８】
以上のように、実施の形態４によれば、選局制御部１１は、ロゴマークデータ５０の受信対象となる放送局が複数ある場合、ユーザの視聴履歴に基づいて放送局の優先順位を決定し、優先順位の高い放送局を優先して選局する。これにより、放送受信装置１は、選局リスト及び番組表のロゴマークの欠けをより早く解消することができ、ユーザが不便を感じる時間を短くすることができる。
【００４９】
実施の形態５．
実施の形態５に係る放送受信装置１の構成は、実施の形態１の図１に示された構成と図面上は同一であるため、以下では図１を援用する。
【００５０】
実施の形態１〜４では、メインチューナ２ａが視聴放送局を受信中である場合のサブチューナ２ｂの受信処理例を説明した。これに対し、実施の形態５では、メインチューナ２ａが視聴放送局を受信中である場合と視聴放送局を受信していないスタンバイ状態である場合のサブチューナ２ｂの受信処理例を説明する。
【００５１】
図８は、実施の形態５に係る放送受信装置１によるロゴマークデータ５０の受信処理例を示す図である。実施の形態５の選局制御部１１は、メインチューナ２ａに視聴放送局の放送波を受信させている場合、つまりユーザが視聴放送局の放送を視聴している場合、実施の形態１〜４のように、サブチューナ２ｂを用いて、視聴放送局以外の放送局のロゴマークデータ５０の受信処理と受信可能局のサーチ等とを行う。上述のように、視聴放送局のロゴマークデータ５０は、メインチューナ２ａにより受信されるため、サブチューナ２ｂによるロゴマークデータ５０の受信対象放送局からは除外される。
【００５２】
一方、選局制御部１１は、メインチューナ２ａに視聴放送局の放送波を受信させていない場合、つまりユーザが視聴放送局の放送を視聴しておらずメインチューナ２ａがスタンバイ状態である場合、メインチューナ２ａを用いて、ロゴマークデータ５０の受信処理を行う。この場合、選局制御部１１は、上記において視聴放送局であった放送局を含む、ロゴマークデータ５０の受信対象となる放送局について、ロゴマークデータ５０の受信処理を行う。ロゴマークデータ５０の受信処理は、実施の形態１〜４のようにロゴマークデータ送信の周期性を利用したものである必要はない。そのため、選局制御部１１は、送信周期中、放送局からの放送波を受信し続けるようにメインチューナ２ａの選局を制御する。
また、選局制御部１１は、サブチューナ２ｂを用いて、受信可能局のサーチ等を行う。
【００５３】
以上のように、実施の形態５によれば、選局制御部１１は、メインチューナ２ａに対して視聴放送局の放送波を選局している場合、サブチューナ２ｂに対して受信タイミングごとに、視聴放送局以外のロゴマークデータ５０の受信対象となる放送局を選局する。また、選局制御部１１は、メインチューナ２ａに対して視聴放送局を選局していない場合、メインチューナ２ａに対してロゴマークデータ５０の受信対象となる放送局を選局する。この構成の場合、放送受信装置１は、視聴中と未視聴中とで、ロゴマークデータ５０の受信処理と受信可能局のサーチ等とを行う時間及びチューナを切り替えることができるので、より効率的にロゴマークデータ５０を受信することができる。
【００５４】
実施の形態６．
実施の形態６に係る放送受信装置１の構成は、実施の形態１の図１に示された構成と図面上は同一であるため、以下では図１を援用する。
【００５５】
サブチューナ２ｂによりロゴマークデータ５０の受信処理以外の時間に実施される受信可能局のサーチは、メインチューナ２ａによる視聴放送局の受信状態が悪くなった際の放送局の切り替え先を検出するために行われるものである。そのため、メインチューナ２ａによる視聴放送局の受信状態が良好な場合には、受信可能局のサーチを行う必要性が低い。逆に、メインチューナ２ａの視聴放送局の受信状態が悪い場合には、いつでも視聴放送局の切り替えが可能なように、受信可能局のサーチを行う必要がある。
【００５６】
そこで、実施の形態６の選局制御部１１は、ロゴマークデータ５０の受信処理において、メインチューナ２ａの受信状態が悪い場合、受信状態が良い場合に比べ、１回の受信タイミングあたりの受信時間を短くするように、制御内容を変更する。なお、選局制御部１１は、メインチューナ２ａの受信状態を、例えば、受信部２が検出する受信強度又は復調部３が検出する搬送波対雑音比（ＣＮＲ）等を用いて判断すればよい。
【００５７】
図９は、実施の形態６に係る放送受信装置１によるロゴマークデータ５０の受信処理例を示す図である。この例では、メインチューナ２ａによる視聴放送局の受信状態が「良好」、「通常」、又は「悪い」のいずれかに分類される。選局制御部１１は、メインチューナ２ａの受信状態が「通常」である場合、例えば実施の形態１のように、１分間隔の受信タイミングごとに、１５秒の受信時間でロゴマークデータ５０の部分データを受信するように、サブチューナ２ｂの選局を制御する。
【００５８】
選局制御部１１は、メインチューナ２ａの受信状態が「通常」から「悪い」に変化した場合、１回の受信タイミングあたりの受信時間を１５秒から０秒に変更する。つまり、選局制御部１１は、メインチューナ２ａの受信状態が「悪い」場合、サブチューナ２ｂに対し、ロゴマークデータ５０の受信処理よりも受信可能局のサーチを優先して行わせる。
【００５９】
選局制御部１１は、メインチューナ２ａの受信状態が「悪い」から「良好」に変化した場合、１回の受信タイミングあたりの受信時間を０秒から４５秒に変更する。つまり、選局制御部１１は、メインチューナ２ａの受信状態が「良好」の場合、サブチューナ２ｂに対し、受信可能局のサーチよりもロゴマークデータ５０の受信処理を優先して行わせる。
【００６０】
以上のように、実施の形態６によれば、選局制御部１１は、サブチューナ２ｂに対して受信タイミングごとに、視聴放送局以外のロゴマークデータ５０の受信対象となる放送局を選局する際、メインチューナ２ａの受信状態に応じて１回の受信タイミングあたりの受信時間を変更する。この構成により、放送受信装置１は、視聴放送局の切り替えを妨げることなく、効率的にロゴマークデータ５０を受信することができる。
【００６１】
実施の形態７．
図１０は、実施の形態７に係る放送受信装置１の構成例を示すブロック図である。実施の形態７に係る放送受信装置１は、図１に示された実施の形態１の放送受信装置１に対して、通信部２０が追加された構成である。図１０において図１と同一又は相当する部分は、同一の符号を付し説明を省略する。
【００６２】
図１１は、実施の形態７に係る放送受信装置１とサーバ７１とを含むロゴマークデータ取得システムの構成例を示す図である。車両７３，７４に搭載された放送受信装置１、及び宅内７５に設置された放送受信装置１は、それぞれ、図１０の放送受信装置１と同じ構成である。放送局は、ロゴマークデータ５０の部分データを含む放送波を、放送波送信塔７０から送信する。車両７３，７４及び宅内７５の放送受信装置１における受信部２は、放送波送信塔７０から送信された放送波を受信する。これらの放送受信装置１における選局制御部１１は、実施の形態１〜６のようにロゴマークデータ送信の周期性を利用してロゴマークデータ５０の受信処理を実施する。
【００６３】
車両７３，７４及び宅内７５の放送受信装置１における通信部２０は、記憶部９に記憶済みのロゴマークデータ５０を、通信網７２を介してサーバ７１へ送信する。サーバ７１は、放送受信装置１から送信されたロゴマークデータ５０を、通信網７２を介して受信して蓄積する。また、車両７３，７４及び宅内７５の放送受信装置１における通信部２０は、放送局のロゴマークデータ５０が記憶部９に存在しない場合、通信網７２を介してサーバ７１にロゴマークデータ５０を要求する。サーバ７１は、放送受信装置１からロゴマークデータ５０の要求を受け付けた場合、要求されたロゴマークデータ５０が蓄積されていれば、要求されたロゴマークデータ５０を通信網７２を介して放送受信装置１へ送信する。
【００６４】
以上のように、実施の形態７に係る放送受信装置１は、放送局のロゴマークデータ５０を蓄積するサーバ７１と通信する通信部２０を備える。この通信部２０は、放送局のロゴマークデータ５０が記憶部９に存在しない場合、この放送局のロゴマークデータ５０をサーバ７１から取得する。この構成により、放送受信装置１は、サーバ７１にロゴマークデータ５０が蓄積されている場合、ロゴマークデータ５０を受信部２が受信するより早くサーバ７１から取得することができるので、ロゴマークデータ５０をより早く選局リスト及び番組表に表示することができる。
【００６５】
図１２は、各実施の形態に係る放送受信装置１のハードウェア構成例を示す図である。放送受信装置１における通信部２０は、通信網７２を介した無線通信を行う通信装置１０３である。放送受信装置１における記憶部９は、メモリ１０２である。
【００６６】
放送受信装置１における受信部２及び復調部３の機能は、処理回路１００により実現される。処理回路１００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。
【００６７】
放送受信装置１における分離部４、デコード部５、表示音声制御部６、及び制御部１０の機能は、メモリ１０２に格納されるプログラムを実行するプロセッサ１０１により実現される。分離部４、デコード部５、表示音声制御部６、及び制御部１０の機能は、ソフトウェアにより実現される。ソフトウェアはプログラムとして記述され、メモリ１０２に格納される。プロセッサ１０１は、メモリ１０２に格納されたプログラムを読みだして実行することにより、各部の機能を実現する。即ち、放送受信装置１は、プロセッサ１０１により実行されるときに、図４のフローチャートで示されるステップが結果的に実行されることになるプログラムを格納するためのメモリ１０２を備える。また、このプログラムは、分離部４、デコード部５、表示音声制御部６、及び制御部１０の手順又は方法をコンピュータに実行させるものであるとも言える。
なお、分離部４、デコード部５、表示音声制御部６、及び制御部１０の機能について、一部を専用のハードウェア（例えば、上記処理回路１００）で実現し、一部をソフトウェアで実現するようにしてもよい。このように、放送受信装置１における処理回路は、ハードウェア、ソフトウェア、又はこれらの組み合わせによって、上述の機能を実現することができる。
【００６８】
ここで、プロセッサ１０１とは、ＣＰＵ（Ｃｅｎｔｒａｌ  Ｐｒｏｃｅｓｓｉｎｇ  Ｕｎｉｔ）、処理装置、演算装置、又はマイクロプロセッサ等のことである。
メモリ１０２は、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、又はフラッシュメモリ等の不揮発性もしくは揮発性の半導体メモリであってもよいし、ハードディスク又はフレキシブルディスク等の磁気ディスクであってもよいし、ＣＤ（Ｃｏｍｐａｃｔ  Ｄｉｓｃ）又はＤＶＤ（Ｄｉｇｉｔａｌ  Ｖｅｒｓａｔｉｌｅ  Ｄｉｓｃ）等の光ディスクであってもよい。
【００６９】
なお、本発明はその発明の範囲内において、各実施の形態の自由な組み合わせ、各実施の形態の任意の構成要素の変形、又は各実施の形態の任意の構成要素の省略が可能である。
【００７０】
上記では、受信部２がメインチューナ２ａとサブチューナ２ｂとを備える構成であったが、受信部２がメインチューナ２ａのみを備える構成であってもよい。この構成の場合、選局制御部１１は、ユーザが視聴放送局の放送を視聴していないとき、つまりスタンバイ状態のとき、メインチューナ２ａを用いてロゴマークデータ５０の受信処理と受信可能局のサーチ等とを行う。
【符号の説明】
【００７１】
１  放送受信装置、２  受信部、２ａ  メインチューナ、２ｂ  サブチューナ、３  復調部、４  分離部、５  デコード部、６  表示音声制御部、７  表示部、８  音声出力部、９  記憶部、１０  制御部、１１  選局制御部、１２  ロゴマーク生成部、２０  通信部、５０  ロゴマークデータ、５１，５２，５３，５４，５５  部分データ、７０  放送波送信塔、７１  サーバ、７２  通信網、７３，７４  車両、７５  宅内、１００  処理回路、１０１  プロセッサ、１０２  メモリ、１０３  通信装置。
【図１】
2020182037.tif 000003
【図２】
2020182037.tif 000004
【図３】
2020182037.tif 000005
【図４】
2020182037.tif 000006
【図５】
2020182037.tif 000007
【図６】
2020182037.tif 000008
【図７】
2020182037.tif 000009
【図８】
2020182037.tif 000010
【図９】
2020182037.tif 000011
【図１０】
2020182037.tif 000012
【図１１】
2020182037.tif 000013
【図１２】
2020182037.tif 000014